(57)【要約】【課題】均一な輝度の光を提供し、構造を単純化できるバックライトユニットを提供すること。【解決手段】反射部を有するバックライトユニットを提供する。このバックライトユニットは、光を出射する光源モジュールと、光源モジュールの一側に第１間隔で離隔して配置され、開口領域を有する第１反射部と、光源モジュールの他側に第１間隔よりも大きい第２間隔で離隔して配置され、少なくとも一部が傾斜面を有し、第１反射部の開口領域に光を反射させる第２反射部と、を含む構成とした。【選択図】図１Ａ
2014017276.tif 000002
【特許請求の範囲】
【請求項１】
光を出射する光源モジュールと、
前記光源モジュールの一側に第１間隔で離隔して配置され、オープン領域を有し、光を正反射する反射面を有している第１反射部と、
前記光源モジュールの他側に第２間隔で離隔して配置され、少なくとも一部が傾斜面を有し、前記第１反射部のオープン領域に前記光を反射させ、光を乱反射する反射面を有している第２反射部と、
を備えており、
前記第１反射部と光源モジュール間の第１間隔が、第２反射部と光源モジュール間の第２間隔よりも小さくなっている、光源ユニット。
【請求項２】
前記第２反射部は、第１傾斜面乃至第４傾斜面を有する、請求項１に記載の光源ユニット。
【請求項３】
前記第１傾斜面及び第４傾斜面は、前記光を乱反射する反射面を有する、請求項２に記載の光源ユニット。
【請求項４】
前記第２傾斜面及び第３傾斜面は、前記光を正反射する反射面を有する、請求項２または３に記載の光源ユニット。
【請求項５】
前記第１傾斜面と第２傾斜面との間に配置された第１溝をさらに備えている、請求項２乃至４のいずれか１項に記載の光源ユニット。
【請求項６】
前記第３傾斜面と第４傾斜面との間に配置された第２溝をさらに備えている、請求項５に記載の光源ユニット。
【請求項７】
前記第１溝及び第２溝は、前記第２反射部の中央領域を基準にして相互対称に配置される、請求項６に記載の光源ユニット。
【請求項８】
前記第１反射部のオープン領域に配置されており、上部表面に凹凸パターンを有する光学シートをさらに備えている、請求項１乃至７のいずれか１項に記載の光源ユニット。
【請求項９】
前記第２反射部の少なくとも一部分の傾斜角が増加してから減少するパターンを有している、請求項１乃至８のいずれか１項に記載の光源ユニット。
【請求項１０】
前記第２反射部の少なくとも一部分の傾斜角が増加してから変化せず、続いて減少するパターンを有している、請求項１に記載の光源ユニット。
【請求項１１】
前記第１反射部、第２反射部及び光源モジュールを支持するカバーフレームをさらに備えている、請求項１乃至１０のいずれか１項に記載の光源ユニット。
【請求項１２】
前記カバーフレームは、
前記第１反射部を支持し、前記第１反射部と平行な方向に配置され、オープン領域を有している第１支持部と、
前記光源モジュールを支持し、前記第１支持部の端部から前記第１反射部と直交する方向に延びている第２支持部と、
前記第２反射部を支持し、前記第２支持部の端部から前記第１支持部と平行な方向に延びている第３支持部と、
を備えている、請求項１１に記載の光源ユニット。
【請求項１３】
前記第３支持部は、前記第１及び第２支持部とは異なる物質で構成される、請求項１２に記載の光源ユニット。
【請求項１４】
前記第３支持部は、前記第２反射部の少なくとも一部を支持する、請求項１２または１３に記載の光源ユニット。
【請求項１５】
前記第３支持部は、前記第２反射部の下部全体表面を支持する、請求項１２または１３に記載の光源ユニット。
【発明の詳細な説明】
【技術分野】
【０００１】
本発明は、反射部を有するバックライトユニットに関するものである。
【背景技術】
【０００２】
一般に、代表的な大型ディスプレイ装置としてＬＣＤ（Ｌｉｑｕｉｄ  Ｃｒｙｓｔａｌ
Ｄｉｓｐｌａｙ）、ＰＤＰ（Ｐｌａｓｍａ  Ｄｉｓｐｌａｙ  Ｐａｎｅｌ）などが知ら
れている。
【０００３】
自発光方式のＰＤＰとは違い、ＬＣＤは自発的な発光素子を備えておらず、別のバック
ライトユニットを必要とする。
【０００４】
ＬＣＤに使用されるバックライトユニットは、光源の位置によって、エッジ（ｅｄｇｅ
）方式のバックライトユニットと直下方式のバックライトユニットとに区別され、エッジ
方式は、ＬＣＤパネルの左右側面または上下側面に光源を配置し、導光板を用いて光を前
面に均一に分散させるので、輝度が均一化及びパネル厚の超薄型化が可能である。
【０００５】
直下方式は、主に、２０インチ以上のディスプレイに適用される技術で、パネルの下部
に複数個の光源を配置するから、エッジ方式に比べて光効率がよく、この点から、高輝度
を要求する大型ディスプレイに主に採用されている。
【０００６】
既存のエッジ方式や直下方式のバックライトユニットの光源には、ＣＣＦＬ（Ｃｏｌｄ
Ｃａｔｈｏｄｅ  Ｆｌｕｏｒｅｓｃｅｎｔ  Ｌａｍｐ）を用いてきた。
【０００７】
しかし、ＣＣＦＬを使用するバックライトユニットは、常にＣＣＦＬに電源が印加され
なければならず、相当量の電力が消耗される他、ＣＲＴの約７０％の割合に留まる色再現
率、水銀の添加による環境汚染といった問題があった。
【０００８】
このような問題点を解消するための代案として、現在、ＬＥＤ（Ｌｉｇｈｔ  Ｅｍｉｔ
ｔｉｎｇ  ｄｉｏｄｅ）を用いるバックライトユニットに関する研究が活発に行われてい
る。
【０００９】
ＬＥＤをバックライトユニットに使用する場合、ＬＥＤアレイの局部的なオン／オフが
可能な点から消耗電力を画期的に減らすことができ、ＲＧＢ  ＬＥＤの場合、ＮＴＳＣ（
Ｎａｔｉｏｎａｌ  Ｔｅｌｅｖｉｓｉｏｎ  Ｓｙｓｔｅｍ  Ｃｏｍｍｉｔｔｅｅ）による
色再現範囲仕様の１００％を上回り、より高画質を消費者に提供することができる。
また、半導体工程で製作されるＬＥＤは、環境に無害である。
【００１０】
現在、上記のような特長を有するＬＥＤを採用したＬＣＤ製品が続々と市販されている
が、既存のＣＣＦＬ光源と駆動メカニズムが異なるため、駆動ドライバ、ＰＣＢ基板など
が高価である。
このため、ＬＥＤバックライトユニットは未だ高価のＬＣＤ製品にのみ採用されている
現状である。
【発明の概要】
【発明が解決しようとする課題】
【００１１】
本発明は、エアーギャップを有する２個の反射部の間に光源モジュールを配置すること
によって、均一な輝度の光を提供し、構造を単純化できるバックライトユニットを提供す
る。
【課題を解決するための手段】
【００１２】
本発明の実施例は、光を出射する光源モジュールと、前記光源モジュールの一側に第１
間隔で離隔して配置され、開口領域を有する第１反射部と、前記光源モジュールの他側に
前記第１間隔よりも大きい第２間隔で離隔して配置され、少なくとも一部が傾斜面を有し
、前記第１反射部の開口領域に前記光を反射させる第２反射部と、を含むバックライトユ
ニットを提供する。
【００１３】
ここで、前記第１反射部は、中央領域が開口され、前記光源モジュールは、前記第１反
射部の両端領域に相対向するように配置される第１光源モジュール及び第２光源モジュー
ルを含むことができる。
【００１４】
また、前記第１反射部は、一側の領域が開口され、前記光源モジュールは、前記第１反
射部の他側の縁部に配置されることができる。
【００１５】
また、前記第２反射部の傾斜面は、平面、凹状の曲面、凸状の曲面のうちいずれか一つ
とすることができる。
【００１６】
ここで、前記第２反射部の少なくとも一部分の傾斜角が増加してから減少するパターン
を有することができる。
【００１７】
また、前記第２反射部の少なくとも一部分の傾斜角が増加してから一定部分変化せず、
再び減少するパターンを有することもできる。
【００１８】
また、前記第２反射部は、第１傾斜面を有する第１サブ反射部と、前記第１サブ反射部
の端部に連結され、前記第１傾斜面の傾斜角と異なる傾斜角で形成される第２傾斜面を有
する第２サブ反射部と、を含むことができる。
【００１９】
上記バックライトユニットは、前記第１及び第２反射部と光源モジュールとを支持する
カバーフレームをさらに含むことができる。
【００２０】
ここで、前記カバーフレームは、前記第１反射部を支持し、前記第１反射部と平行な方
向に配置され、開口領域を有する第１支持部と、前記光源モジュールを支持し、前記第１
支持部の端部から前記第１反射部と直交する方向に延びる第２支持部と、前記第２反射部
を支持し、前記第２支持部の端部から前記第１支持部と平行な方向に延びる第３支持部と
、を含むことができる。
【００２１】
前記第３支持部は、前記第２反射部の少なくとも一部を支持することができる。
【００２２】
また、前記第３支持部は、前記第２反射部の下部表面の全体を支持することができる。
【００２３】
また、前記第３支持部は、前記第１及び第２支持部と異なる物質からなり、前記第２反
射部の下部表面の全体を支持することができる。
【００２４】
また、前記第１反射部の厚さは、前記光源モジュールから遠ざかるほど減少することが
できる。
【００２５】
上記バックライトユニットは、前記第１反射部の開口領域に配置され、上部表面に凹凸
パターンを有する光学シートをさらに含むことができる。
【００２６】
また、本発明の実施例は、光を出射する光源モジュールと、前記光源モジュールの一側
に接触して配置され、開口領域を有する第１反射部と、前記光源モジュールの他側に一定
間隔で離隔して配置され、少なくとも一部が傾斜面を有し、前記第１反射部の開口領域に
前記光を反射させる第２反射部と、を含むバックライトユニットを提供することができる
。
【発明の効果】
【００２７】
本発明の実施例は、水平面から平行な反射面を有する第１反射部と、水平面から一定角
度で傾斜する反射面を有する第２反射部とを用いて光源の光を上部に均一に反射させるこ
とで均一の輝度を提供できるため、追加的な機構的装置を必要としない。
したがって、バックライトユニットの製作コストが低減し、全体的な重さが減少し、均
一の輝度が図られ、結果としてバックライトユニットの経済性及び信頼性を向上させるこ
とができる。
【図面の簡単な説明】
【００２８】
【図１Ａ】実施例による２エッジタイプのバックライトユニットを説明するための図である。
【図１Ｂ】実施例による２エッジタイプのバックライトユニットを説明するための図である。
【図２】図１の光源モジュールと第１及び第２反射部間の配置関係を説明するための図である。
【図３Ａ】第２反射部の傾斜面を示す図である。
【図３Ｂ】第２反射部の傾斜面を示す図である。
【図３Ｃ】第２反射部の傾斜面を示す図である。
【図３Ｄ】第２反射部の傾斜面を示す図である。
【図４Ａ】多数の傾斜面を有する第２反射部を示す図である。
【図４Ｂ】多数の傾斜面を有する第２反射部を示す図である。
【図５Ａ】第２反射部の傾斜面終端の高さを示す図である。
【図５Ｂ】第２反射部の傾斜面終端の高さを示す図である。
【図６】光源モジュールと第１及び第２反射部を支持するカバーフレームを示す図である。
【図７】光源モジュールと第１及び第２反射部を支持するカバーフレームを示す図である。
【図８】光源モジュールと第１及び第２反射部を支持するカバーフレームを示す図である。
【図９Ａ】第２反射部が全面に付着されたフレームの形状を示す図である。
【図９Ｂ】第２反射部が全面に付着されたフレームの形状を示す図である。
【図１０Ａ】第２反射部が部分的に付着されたフレームの形状を示す図である。
【図１０Ｂ】第２反射部が部分的に付着されたフレームの形状を示す図である。
【図１１Ａ】反射パターンを有する第２反射部を示す図である。
【図１１Ｂ】反射パターンを有する第２反射部を示す図である。
【図１１Ｃ】反射パターンを有する第２反射部を示す図である。
【図１１Ｄ】反射パターンを有する第２反射部を示す図である。
【図１２】第１反射部の厚さ及び長さの条件を説明するための図である。
【図１３】第１反射部の厚さ及び長さの条件を説明するための図である。
【図１４Ａ】傾斜面を有する第１反射部を示す図である。
【図１４Ｂ】傾斜面を有する第１反射部を示す図である。
【図１５Ａ】反射パターンを有する第１反射部を示す図である。
【図１５Ｂ】反射パターンを有する第１反射部を示す図である。
【図１５Ｃ】反射パターンを有する第１反射部を示す図である。
【図１５Ｄ】反射パターンを有する第１反射部を示す図である。
【図１６】実施例による１エッジタイプのバックライトユニットを説明するための図である。
【図１７】実施例による１エッジタイプのバックライトユニットを説明するための図である。
【図１８】光学シートの配置構造を示す図である。
【図１９】光学シートの形状を示す図である。
【図２０】本実施例によるバックライトユニットを有するディスプレイモジュールを示す図である。
【図２１】本実施例によるディスプレイ装置を示す図である。
【図２２】本実施例によるディスプレイ装置を示す図である。
【図２３Ａ】光源モジュールの光出射方向を示す図である。
【図２３Ｂ】光源モジュールの光出射方向を示す図である。
【図２３Ｃ】光源モジュールの光出射方向を示す図である。
【図２３Ｄ】光源モジュールの光出射方向を示す図である。
【図２３Ｅ】光源モジュールの光出射方向を示す図である。
【図２３Ｆ】光源モジュールの光出射方向を示す図である。
【図２３Ｇ】光源モジュールの光出射方向を示す図である。
【図２４】カバーフレームに支持される光学シートを示す図である。
【発明を実施するための形態】
【００２９】
以下、本発明の好適な実施例を、添付の図面を参照しつつ詳細に説明する。
【００３０】
実施例の説明において、各層（膜）、領域、パターンまたは構造物が基板、各層（膜）
、領域、パッドまたはパターンの“上（ｏｎ）”にまたは“下（ｕｎｄｅｒ）”に形成さ
れると記載される場合において、“上（ｏｎ）”と“下（ｕｎｄｅｒ）”は、“直接（ｄ
ｉｒｅｃｔｌｙ）”または“別の層を介在して（ｉｎｄｉｒｅｃｔｌｙ）”形成されるい
ずれの場合をも含む。また、各層の上または下は、図面を基準にして説明する。
【００３１】
図面において、各層の厚さや大きさは、説明の便宜及び明確性のために誇張、省略また
は概略して示している。また、各構成要素の大きさが、実際の大きさを全的に反映してい
るわけではない。
【００３２】
図１Ａ及び図１Ｂは、実施例による２エッジタイプのバックライトユニットを説明する
ための図で、図１Ａは、断面図、図１Ｂは斜視図である。
【００３３】
図１Ａ及び図１Ｂに示すように、バックライトユニットは、光源モジュール１００、第
１反射部２００及び第２反射部３００を含むことができる。
ここで、光源モジュール１００は、第１反射部２００と第２反射部３００との間に配置
され、第１反射部２００に近接して配置されることができる。
そして、光源モジュール１００は、電極パターンを有する回路基板、及び光を生成する
発光素子を含むことができる。
【００３４】
ここで、回路基板は、少なくとも一つの発光素子が実装され、電源を供給するアダプタ
ーと発光素子とを連結する電極パターンを含むことができる。
例えば、回路基板の上面には、発光素子とアダプターとを連結する炭素ナノチューブ電
極パターンが形成されることができる。
【００３５】
このような回路基板は、ポリエチレンテレフタレート（ＰＥＴ）、ガラス、ポリカーボ
ネート（ＰＣ）またはシリコン（Ｓｉ）などからなり、複数の光源１００が実装されるＰ
ＣＢ（Ｐｒｉｎｔｅｄ  Ｃｉｒｃｕｉｔ  Ｂｏａｒｄ）基板とすることができる。この回
路基板は、フィルム状に形成されることができる。
【００３６】
一方、発光素子は、発光ダイオードチップ（ＬＥＤ  ｃｈｉｐ）とすることができ、発
光ダイオードチップは、紫外線ＬＥＤチップで構成することもでき、または、レッドＬＥ
Ｄチップ、グリーンＬＥＤチップ、ブルーＬＥＤチップ、イエローグリーン（Ｙｅｌｌｏ
ｗｇｒｅｅｎ）ＬＥＤチップ、ホワイトＬＥＤチップのうち少なくとも一つまたはこれら
を組み合わせたパッケージ形態で構成することもできる。
【００３７】
そして、ホワイトＬＥＤは、ブルーＬＥＤ上にイエローりん光（Ｙｅｌｌｏｗ  ｐｈｏ
ｓｐｈｏｒ）を結合したり、ブルーＬＥＤ上にレッドりん光（Ｒｅｄ  ｐｈｏｓｐｈｏｒ
）及びグリーンりん光（Ｇｒｅｅｎ  ｐｈｏｓｐｈｏｒ）を同時に結合してなることがで
きる。
【００３８】
なお、第１反射部２００と第２反射部３００との間の空間にはエアーギャップ（ａｉｒ
ｇａｐ）が形成されるように、第１反射部２００及び第２反射部３００は一定の間隔を
おいて対向配置することができる。
ここで、第１反射部２００は、開口（ｏｐｅｎ）領域を有し、光源モジュール１００の
一側に接触してまたは一定間隔離れて配置されることができる。
すなわち、第１反射部２００は、中央領域が開口されており、光源モジュール１００は
、互いに対向するように第１反射部２００の両側縁部に配置される第１光源モジュール及
び第２光源モジュールを含むことができる。
そして、第１反射部２００は、反射コーティングフィルムまたは反射コーティング物質
層のいずれかで形成され、光源モジュール１００から発生した光を第２反射部３００の方
向に反射させる役割を果たすことができる。
【００３９】
また、第１反射部２００の表面のうち、発光モジュール１００に対向する表面上には鋸
歯状の反射パターンが形成され、反射パターンの表面は、平面または曲面にすることがで
きる。
このように第１反射部２００の表面に反射パターンを形成する理由は、発光モジュール
から発生した光を、第２反射部３００の中央領域に反射させることによって、バックライ
トユニットの中央領域における輝度を増加させるためである。
【００４０】
また、第２反射部３００は、光源モジュール１００から一定間隔離隔して配置され、第
１反射部２００の表面に平行な水平面に対して一定角度傾斜する傾斜面を有することがで
きる。
ここで、第２反射部３００の傾斜面は、光源モジュール１００から発生した光または第
１反射部２００から反射された光を、第１反射部２００の開口領域へと反射させる役割を
果たすことができる。
【００４１】
そして、第２反射部３００と光源モジュール１００との間隔は、第１反射部２００と光
源モジュール１００との間隔よりも大きいことが好ましい。
これは、発光モジュールから発生した光を、第２反射部３００の中央領域に多く集中さ
せることで、バックライトユニットの中央領域における輝度を増加させるためである。
【００４２】
図２は、図１の光源モジュールと第１及び第２反射部との配置関係を説明するための図
である。
【００４３】
図２に示すように、第１反射部２００と光源モジュール１００間の第１間隔ｄ１は、第
２反射部３００と光源モジュール１００間の第２間隔ｄ２よりも小さいことがわかる。
すなわち、光源モジュール１００は、第１及び第２反射部２００，３００間のエアーギ
ャップ内の両側領域に配置され、第２反射部３００に比べて第１反射部２００へより近接
して配置されることが好ましい。
【００４４】
上記のように、第２反射部３００は、第１反射面２００に対向する表面が、水平面に対
して一定角度で傾斜する傾斜面を有するので、第１反射部２００と第２反射部３００間の
間隔は、光源モジュール１００に近い領域が、光源モジュール１００から遠い領域に比べ
て大きくなりうる。
【００４５】
図３Ａ乃至図３Ｄは、第２反射部の傾斜面を示す図で、図３Ａは、傾斜面が平面である
実施例であり、図３Ｂ乃至図３Ｄは、傾斜面が曲面である実施例である。
【００４６】
図３Ａに示すように、第２反射部３００の傾斜面は平面であり、第２反射部３００の傾
斜面と第１反射部２００の表面に対して平行な水平面との角度θ１は、約１〜８５°とす
ることができる。
そして、図３Ｂに示すように、第２反射部３００の傾斜面は、窪んだ形状の曲面であり
、第２反射部３００の傾斜面と第１反射部２００の表面に対して平行な水平面との角度θ
２は、約１〜８５°から漸次増加することができる。
また、図３Ｃに示すように、第２反射部３００の傾斜面は、盛り上がった形状の曲面で
あり、第２反射部３００の傾斜面と第１反射部２００の表面に対して平行な水平面との角
度θ３は、約１〜８５°から漸次減少することができる。
【００４７】
このように、第２反射部３００の傾斜面は、少なくとも一部分の傾斜角が増加してから
減少するパターンを有することもできるが、図３Ｄに示すように、第２反射部３００の少
なくとも一部分の傾斜角が増加してから一定部分変化せず、再び減少するパターンを有す
ることもできる。
【００４８】
このように、第２反射部３００の傾斜面は、第２反射部３００の両端部に追加すること
もできる。
【００４９】
図４Ａ及び図４Ｂは、多数の傾斜面を有する第２反射部を示す図で、図４Ａは、２タイ
プの反射部を有する第２反射部を示す図で、図４Ｂは、２タイプの傾斜面を有する第２反
射部を示す図である。
【００５０】
図４Ａに示すように、第２反射部３００は、第１サブ反射部３３０と第２サブ反射部３
１０とを含んでなることができる。
【００５１】
ここで、第１サブ反射部３１０は、一側の光源モジュール１００下部に配置されて、他
側の光源モジュール１００の方向に傾斜した第１傾斜面を有することができる。
【００５２】
そして、第２サブ反射部３３０は、中央領域に配置されて、第１サブ反射部３１０の端
部に連結され、第１傾斜面に対向する第２傾斜面を有することができる。
ここで、第１サブ反射部３１０の傾斜面と第１反射部２００の表面に対して平行な水平
面との角度θ４は、約１〜８５°とすることができる。
【００５３】
このように第１サブ反射部３１０をさらに配置する理由は、他側に配置される光源モジ
ュールから出射する光を第２反射部３００の中央領域に反射させることによって、バック
ライトユニットの中央領域における輝度を増加させるためである。
【００５４】
場合によって、第１サブ反射部３１０の傾斜面の傾斜角と第２サブ反射部３３０の傾斜
面の傾斜角は互いに異なっていても良い。
【００５５】
図４Ａで、第１サブ反射部３１０は、反射物質からなる反射構造体であっても良く、図
４Ｂに示すように、反射フィルム形態のもであっても良い。
【００５６】
図４Ｂは、第２反射部３００を反射フィルム形態とし、反射フィルムに傾斜面をさらに
形成することができる。
【００５７】
図４Ｂに示すように、第２反射部３００は、第１領域に形成される第１傾斜面と第２領
域に形成される第２傾斜面とを含むことができる。
ここで、第２領域は中央領域であり、第１領域は中央領域の周辺の縁部領域である。
【００５８】
第１傾斜面は、光源モジュール１００の下部に配置され、他側の光源モジュール１００
の方向に傾斜することができる。
そして、第２傾斜面は、第１傾斜面から延びて第１傾斜面と対向するように傾斜するこ
とができる。
【００５９】
ここで、第１傾斜面と第１反射部２００の表面に対して平行な水平面との角度θ４は、
約１〜８５°とすることができる。
【００６０】
このように、第２反射部３００は、第１反射部２００と光源モジュール１００からの光
を第１反射部２００の開口領域に集中的に反射させうるように傾斜面を有し、場合によっ
て、傾斜面の末端の高さを変えることができる。
【００６１】
図５Ａ及び図５Ｂは、第２反射部の傾斜面の頂点の高さを示す図である。
【００６２】
図５Ａは、第２反射部３００の傾斜面の末端の高さが光源モジュールの配置ラインの下
部に位置する場合であり、図５Ｂは、第２反射部３００の傾斜面の末端の高さが光源モジ
ュールの配置ラインの上部に位置する場合である。
図５Ａに示すように、第２反射部３００の一側端につながる下部水平面から第２反射部
３００の中央領域に位置する突出部までの最大高さＨ１は、水平面から光源モジュール１
００までの高さＨ２より小さく、水平面から第１反射部２００までの高さＨ３よりも小さ
くすることができる。
【００６３】
そして、図５Ｂに示すように、第２反射部３００の一側端につながる下部水平面から第
２反射部３００の中央領域に位置する突出部までの最大高さＨ１は、水平面から光源モジ
ュール１００までの高さＨ２よりは大きく、水平面から第１反射部２００までの高さＨ３
よりは小さくすることができる。
【００６４】
場合によって、第２反射部３００の一側端につながる水平面から光源モジュール１００
までの高さＨ２は、水平面から第２反射部３００の他側端までの高さＨ１と同一にしても
良く、または、第２反射部３００の一側端につながる水平面から光源モジュール１００ま
での高さＨ２は、水平面から第２反射部３００の他側端までの高さＨ１より大きくするこ
ともできる。
このように配置される光源モジュール１００と第１及び第２反射部２００，３００を、
カバーフレームにより支持することができる。
【００６５】
図６乃至図８は、光源モジュールと第１及び第２反射部を支持するカバーフレームを示
す図である。
【００６６】
図６は、第２反射部３００の下端部を支持するカバーフレーム４００を示し、図７は、
第２反射部３００の下部面全体を支持するカバーフレーム４００を示し、図８は、第２反
射部の形状と同じ形状で製作されて、第２反射部３００の下部面全体を支持するカバーフ
レーム４００を示している。
【００６７】
まず、図６に示すように、カバーフレーム４００が第１及び第２反射部２００，３００
及び光源モジュール１００を支持するように配置される。
ここで、カバーフレーム４００は、第１、第２、第３支持部Ｓ１，Ｓ２，Ｓ３を含むこ
とができる。
カバーフレーム４００の第１支持部Ｓ１は、第１反射部２００を支持し、第１反射部２
００と平行な方向に配置され、中央部に開口領域を有することができる。
また、第２支持部Ｓ２は、光源モジュール１００を支持し、第１支持部Ｓ１の縁部から
第１反射部２００と直交する方向に延びて形成されることができる。
【００６８】
そして、第３支持部Ｓ３は、第２反射部３００を支持し、第２支持部Ｓ２の縁部から第
１支持部Ｓ１と平行な方向に延びて形成されることができる。
ここで、第３支持部Ｓ３は、第１及び第２支持部Ｓ１，Ｓ２と同じ物質からなり、第２
反射部３００の下端部を支持する役割を果たすことができる。
【００６９】
この場合、第１、第２、第３支持部Ｓ１，Ｓ２，Ｓ３は、金属または高分子樹脂からな
ることができる。
【００７０】
また、第２反射部３００の下部の中心領域は、第３支持部Ｓ３の表面から一定間隔離れ
ており、この空間にエアーギャップ５００を有することができる。
ここで、第２反射部３００は、反射フィルム形態の反射シートとすることができる。
【００７１】
反射シートからなる第２反射部３００は、第１、第２、第３、第４傾斜面を有すること
ができる。
【００７２】
第２反射部３００の第１傾斜面は、一側に位置する第１光源モジュール１００の下部に
配置され、他側に位置する第２光源モジュール１００の方向に傾斜し、第２傾斜面は、第
１傾斜面から延びて第１傾斜面に対向し、第１光源モジュール１００の方向に傾斜し、第
３傾斜面は、第２傾斜面から延びて第２光源モジュール１００の方向に傾斜し、第４傾斜
面は、第３傾斜面から延びて第３傾斜面に対向し、第２光源モジュール１００の下部に配
置されて第１光源モジュール１００方向に傾斜することができる。
【００７３】
また、図７に示すように、カバーフレーム４００の第３支持部Ｓ３は、第１及び第２支
持部Ｓ１，Ｓ２と同じ物質からなり、第２反射部３００の下部面全体を支持することがで
きる。
ここで、第２反射部３００は、反射物質からなる反射構造体とすることができる。
【００７４】
反射構造体からなる第２反射部３００は、第１及び第２溝を有することができる。
【００７５】
第１溝は、一側に位置する第１光源モジュール１００に近接する領域に第１光源モジュ
ール１００に沿って形成され、相対向する両側面は傾斜することができる。第２溝は、他
側に位置する第２光源モジュール１００に近接する領域に第２光源モジュール１００に沿
って形成され、相対向する両側面は傾斜することができる。
ここで、第１溝と第２溝は、第２反射部３００の中央領域を基準に相互対称に形成され
ることができる。
【００７６】
そして、第３支持部Ｓ３は、第１及び第２支持部Ｓ１，Ｓ２と同じ物質からなり、第２
反射部３００の下部面全体を支持する役割を果たすことができる。
この場合、第１、第２、第３支持部Ｓ１、Ｓ２、Ｓ３は、金属または高分子樹脂からな
ることができる。
【００７７】
また、図８に示すように、第３支持部Ｓ３は、第１及び第２支持部Ｓ１，Ｓ２と異なる
物質からなり、第２反射部３００の下部面全体を支持することができる。
【００７８】
第３支持部Ｓ３は、図６の第２反射部３００と一致する傾斜面を有するように、第２反
射部３００と同じ形状で形成されることができる。
このため、第３支持部Ｓ３は、容易で簡単に第２反射部３００と同じ形状に製作できる
ように、プラスチックのような高分子樹脂で形成することができる。
【００７９】
そして、第１及び第２支持部Ｓ１，Ｓ２は金属で製作して、第３支持部Ｓ３に連結する
ことができる。
すなわち、図８のカバーフレーム４００は、金属フレーム４１０と高分子樹脂フレーム
４３０とで構成されることができる。
【００８０】
場合によっては、第２反射部３００の付着された高分子樹脂フレーム４３０を別個に製
作して、カバーフレーム４００に連結することもできる。
【００８１】
図９Ａ及び図９Ｂは、第２反射部が全面に付着されたフレームの形状を示す図で、図９
Ａは、第２反射部の全体反射率が一定である場合であり、図９Ｂは、第２反射部の全体反
射率が一定でない場合である。
【００８２】
図９Ａ及び図９Ｂに示すように、第２反射部３００は、フィルム形態で製作された反射
コーティングフィルムにしても良く、反射物質が蒸着された反射コーティング物質層にし
ても良い。
【００８３】
第２反射部３００は、金属及び金属酸化物のうち少なくとも一つを含むことができ、例
えば、アルミニウム（Ａｌ）、銀（Ａｇ）、金（Ａｇ）または二酸化チタニウム（ＴｉＯ
２）のように高い反射率を有する金属または金属酸化物を含んでなることができる。
【００８４】
この場合、第２反射部３００は、金属または金属酸化物をボトムプレート（ｂｏｔｔｏ
ｍ  ｐｌａｔｅ）である高分子樹脂フレーム４３０上に蒸着またはコーティングして形成
することもでき、金属インキを印刷して形成することもできる。
【００８５】
ここで、蒸着する方法には、熱蒸着法、蒸発法またはスポットタ法のような真空蒸着法
を用いることができ、コーティングまたは印刷する方法には、プリンティング法、グラビ
アコーティング法またはシルクスクリーン法を用いることができる。
【００８６】
また、第２反射部３００は、フィルムまたはシート（sheet）形態で製作し、高分子樹
脂フレーム４３０上に接着して形成することもできる。
【００８７】
ここで、図９Ａに示すように、第２反射部３００は、ボトムプレートである高分子樹脂
フレーム４３０の全体において同一の反射率を有する構造とすることもでき、図９Ｂに示
すように、第２反射部３００は、高分子樹脂フレーム４３０の全体において異なる反射率
を有する多数の反射層３１０，３２０，３３０が形成される構造にすることもできる。
【００８８】
図９Ｂに示すように、それぞれ異なる反射率を有する多数の反射層で第２反射部３００
を形成する理由は、同一の反射率を有する反射層で形成すると、全体反射面の光反射率が
均一でないため、バックライトの全体輝度が不均一になることがあるからである。
【００８９】
したがって、光の輝度が低く現れる反射面の領域には、相対的に反射率の高い反射層を
形成したり、または、光の輝度が高く現れる反射面の領域には、相対的に反射率の低い反
射層を形成することによって、バックライトの全体輝度を均一に補正することができる。
【００９０】
図１０Ａ及び図１０Ｂは、第２反射部が部分的に付着されたフレームの形状を示す図で
、図１０Ａは、高分子樹脂フレームの表面上に突出した第２反射部を示し、図１０Ｂは、
高分子樹脂フレームの表面内に埋め込まれた第２反射部を示している。
【００９１】
図１０Ａ及び図１０Ｂの実施例も、図９Ｂと同様に、光の輝度が低く現れる反射面の領
域にのみ反射層を形成することによって、バックライトの全体輝度を均一に補正すること
ができる。
【００９２】
図１０Ａは、高分子樹脂フレーム４３０の表面の一部に第２反射部３００の反射層が突
出して形成される実施例を示す。
そして、図１０Ｂは、高分子樹脂フレーム４３０の表面の一部に溝が形成され、この溝
内に第２反射部３００の反射層が埋められた実施例を示す。
このように、第２反射部３００は高分子樹脂フレーム４３０の全体領域に形成すること
もでき、光の輝度が相対的に低い領域にのみ形成することもできる。
場合によって、第２反射部３００は表面に所定形態の反射パターンを有することができ
る。
【００９３】
図１１Ａ乃至図１１Ｄは、反射パターンを有する第２反射部を示す図である。
【００９４】
図１１Ａは、反射パターン３５０が鋸歯状とされ、反射パターン３５０の表面は平面と
されている実施例であり、図１１Ｂ及び図１１Ｃは、反射パターン３５０が鋸歯状とされ
、反射パターン３５０の表面は曲面とされている実施例である。
ここで、図１１Ｂは、反射パターン３５０の表面が凹状の曲面となっており、図１１Ｃ
は、反射パターン３５０の表面が凸状の曲面となっている。
場合によって、図１１Ｄに示すように、反射パターン３５０の大きさが第２反射部３０
０の端部から中心部へ行くほど次第に大きくなることもできる。
このように第２反射部３００上に反射パターン３５０を形成する理由は、光の反射に加
えて、光を均一に拡散させる拡散効果も得られるからである。
【００９５】
したがって、このような反射パターン３５０は、バックライトの全体輝度分布に基づい
て該当の領域に様々な大きさで製作すればいい。
【００９６】
一方、第１反射部２００の厚さ及び長さによって、バックライトユニットの輝度均が変
わることができる。
【００９７】
図１２及び図１３は、第１反射部の厚さ及び長さ条件を説明するための図である。
【００９８】
図１２に示すように、第１反射部２００は、一側端から開口領域方向に位置する他側端
までの長さＬ１を有し、光源モジュール１００は、一側端から開口領域方向に位置する他
側端までの長さＬ２を有することができる。
ここで、第１反射部２００の長さＬ１は、光源モジュール１００の長さＬ２の５〜１０
倍とすることができる。
そして、第１反射部２００の厚さｔ１は、第２反射部３００の厚さｔ２と同一にしても
良く、異ならせても良い。
特に、第１反射部２００の厚さｔ１は、第２反射部３００の厚さｔ２よりも厚いと好ま
しい。
【００９９】
また、場合によって、図１３に示すように、開口領域の一側に位置する第１反射部２０
０ａの厚さｔ１と開口領域の他側に位置する第１反射部２００ｂの厚さｔ３は、互いに同
一にしても良く、異ならせても良い。
そして、開口領域の両側に位置する第１反射部２００ａ，２００ｂの長さを互いに異な
らせても良い。
これは、開口領域の両側に配置される各光源モジュール１００の光出力強度が互いに異
なることを考慮するためである。
すなわち、光出力強度が相対的に高い光源モジュール１００上に配置される第１反射部
２００は、光の遮断のために、厚さ及び長さを相対的に大きくする必要がある。
【０１００】
図１４Ａ及び図１４Ｂは、傾斜面を有する第１反射部を示す図で、図１４Ａは、傾斜面
が平面である場合を示し、図１４Ｂは、傾斜面が曲面である場合を示す。
【０１０１】
図１４Ａ及び図１４Ｂに示すように、第２反射部３００と対向する第１反射部２００の
一側面は、第１反射部２００の他側面に対して一定角度で傾斜する傾斜面を有することが
できる。
ここで、傾斜面は、第１反射部２００の他側面に対して平行な水平面から１〜８５°の
角度で傾斜することができる。
したがって、第１反射部２００の厚さは、光源モジュール１００から遠ざかるほど次第
に減少することができる。
そして、第１反射部２００の表面には、所定の反射パターンが形成されることもできる
。
【０１０２】
図１５Ａ乃至図１５Ｄは、反射パターンを有する第１反射部２００を示す図である。
【０１０３】
図１５Ａは、反射パターン２２０が鋸歯状とされ、反射パターン２２０の表面は平面で
ある例を示し、図１５Ｂ及び図１５Ｃは、反射パターン２２０が鋸歯状とされ、反射パタ
ーン２２０の表面は曲面である例を示す。
ここで、図１５Ｂは、反射パターン２２０の表面が凹状の曲面とされ、図１５Ｃは、反
射パターン２２０の表面が凸状の曲面とされている。
【０１０４】
場合によって、図１５Ｄに示すように、反射パターン２２０の大きさが、第１反射部２
００の端部から開口領域に向かうほど漸次大きくなることができる。
このように、第１反射部２００上に反射パターン２２０を形成する理由は、光の反射効
果に加えて、光を均一に拡散させる拡散効果も得られるためである。
【０１０５】
したがって、このような反射パターン２２０は、バックライトの全体輝度分布にしたが
って、該当の領域に様々な大きさで製作すればいい。
【０１０６】
図１６及び図１７は、実施例による１エッジタイプのバックライトユニットを説明する
ための図であり、図１６は、傾斜面のない第１反射部を有する１エッジタイプのバックラ
イトユニットを示し、図１７は、傾斜面のある第１反射部を有する１エッジタイプのバッ
クライトユニットを示す。
【０１０７】
図１６に示すように、第１反射部２００は、一側領域が開口され、光源モジュール１０
０は、第１反射部２００の他側領域の縁部に配置されることができる。
【０１０８】
図１６の１エッジタイプのバックライトユニットは、図１Ａの２エッジタイプのバック
ライトユニットとは異なるタイプの光源モジュール１００と第１及び第２反射部２００，
３００を含むことができる。
例えば、１エッジタイプのバックライトユニットに使われる光源モジュール１００の光
出力強度は、２エッジタイプのバックライトユニットに使われる光源モジュール１００よ
り大きいことが好ましい。
この場合、光出力の相対的に高い光源モジュール１００を使用すると、第１反射部２０
０の厚さ及び長さも、２エッジタイプのバックライトユニットに使われる第１反射部２０
０よりも大きくしなければならない。
【０１０９】
また、１エッジタイプのバックライトユニットに使われる第１反射部２００は、図１７
に示すように、傾斜面を有することが好ましい。
これは、光源モジュール１００から発生した光を、光源モジュール１００から遠く反射
させることによって、全体的に均一な輝度を得るためである。
このため、第１反射部２００の一側端の厚さｔ１は、第１反射部２００の他側端の厚さ
ｔ２よりも厚くすることができる。
すなわち、第１反射部２００の厚さは、光源モジュール１００から遠ざかるほど漸次減
少するように形成することができる。
ここで、第１反射部２００の傾斜面は、第１反射部２００の他側面に対して平行な水平
面から１〜８５°の角度で傾斜することができる。
【０１１０】
そして、第１反射部２００は、反射コーティングフィルムまたは反射コーティング物質
層のいずれかで形成することができる。
【０１１１】
図１８は、光学シートの配置構造を示す図であり、図１９は、光学シートの形状を示す
図である。
【０１１２】
図１８に示すように、光学シート６００は、第１反射部２００の開口領域に配置され、
上部表面に凹凸パターン６２０を有することができる。
ここで、光学シート６００は、第１反射部２００の開口領域を通して出射する光を拡散
させる役割を果たすもので、拡散効果を増加させるように拡散シート６００の上部表面に
凹凸パターン６２０を形成することができる。
【０１１３】
凹凸パターン６２０は、図１９に示すように、光源モジュール１００に沿って配置され
るストライプ（ｓｔｒｉｐ）状にすることができる。
ここで、凹凸パターン６２０は、光学シート６００の表面から突延する突出部を有し、
突出部は、相対向する第１面と第２面で構成され、第１面と第２面とがなす角は、鈍角ま
たは鋭角とすることができる。
【０１１４】
このように製作されるバックライトユニットは、図１８に示すように、中央領域が開口
された第１反射部２００と、第１反射部２００の下部面に対向し、エアーギャップを有す
るように第１反射部２００の下部面から一定間隔離れて配置される第２反射部３００と、
第１及び第２反射部２００，３００の間の両側領域に相対向するようにそれぞれ配置され
る第１及び第２光源モジュール１００ａ，１００ｂと、を含むことができる。
【０１１５】
ここで、第２反射部３００は、第１光源モジュール１００ａの下部に位置し、第２光源
モジュール１００ｂの方向に傾斜する第１傾斜面３００ａと、第１傾斜面３００ａから延
びて第１傾斜面３００ａに対向しながら第１光源モジュール１００ａの方向に傾斜する第
２傾斜面３００ｂと、第２傾斜面３００ｂから延びて第２光源モジュール１００ｂの方向
に傾斜する第３傾斜面３００ｃと、第３傾斜面３００ｃから延びて第３傾斜面３００ｃと
対向し、第２光源モジュール１００ｂの下部に位置して第１光源モジュール３００ａの方
向に傾斜する第４傾斜面３００ｄと、を含むことができる。
【０１１６】
ここで、第１反射部２００と第２反射部３００の反射パターンを互いに異なるものにし
ても良い。
すなわち、第１反射部２００は光を正反射する反射面を有することができ、第２反射部
３００は光を乱反射する反射面を有することができる。
または、第１反射部２００は光を乱反射する反射面を有することができ、第２反射部３
００は光を正反射する反射面を有することができる。
【０１１７】
そして、第２反射部３００の第１、第２、第３、第４傾斜面３００ａ，３００ｂ，３０
０ｃ，３００ｄは、互いに同じ反射面を有することもでき、互いに異なる反射面を有する
こともできる。
例えば、第２反射部３００の第１、第４傾斜面３００ａ，３００ｄは、光を正反射する
反射面を有することができ、第２反射部３００の第２、第３傾斜面３００ｂ，３００ｃは
、光を乱反射する反射面を有することができる。
【０１１８】
または、第２反射部３００の第１、第４傾斜面３００ａ，３００ｄは、光を乱反射する
反射面を有することができ、第２反射部３００の第２、第３傾斜面３００ｂ，３００ｃは
、光を正反射する反射面を有することができる。
場合によって、バックライトユニットの第２反射部３００は、第１傾斜面３００ａと第
２傾斜面３００ｂとの間に形成される第１溝と、第３傾斜面３００ｃと第４傾斜面３００
ｄとの間に形成される第２溝を含むことができる。
【０１１９】
ここで、第１溝は、第１光源モジュール１００ａに近接する領域に第１光源モジュール
１００ａに沿って形成され、相対向する側面を傾斜面とすることができる。
【０１２０】
そして、第２溝は、第２光源モジュール１００ｂに近接する領域に第２光源モジュール
１００ｂに沿って形成されて、相対向する側面を傾斜面とすることができる。
この場合、第１溝及び第２溝は、第２反射部３００の中央領域を基準に相互対称に形成
されることができる。
【０１２１】
一方、本実施例は、光源モジュールの光出射面を様々な方向に配置することができる。
【０１２２】
図１８の光源モジュール１００は、光出射面がバックライトユニットの内側方向に向か
うように配置された直接出射型（ｄｉｒｅｃｔ  ｅｍｉｔｔｉｎｇ  ｔｙｐｅ）構造であ
るが、図２３Ａ乃至図２３Ｇに示すように、間接出射型の構造にしても良い。
【０１２３】
すなわち、光源モジュール１００は、図１８に示すように、カバーフレーム４００に直
接取り付けられる構造にすることもでき、図２３Ａ乃至図２３Ｇに示すように、光源モジ
ュール１００は回転可能フレーム４１２に取り付けられ、この回転可能フレーム４１２が
回転調節ねじ４１１によってカバーフレーム４００に固定される構造にすることもできる
。
【０１２４】
図２３Ａ乃至図２３Ｇは、光源モジュールの光出射方向を示す図で、図２３Ａは、回転
可能フレーム４１２がカバーフレーム４００から９０°回転しており、光源モジュール１
００の光出射面がカバーフレーム４００の側面方向に配置された構造である。
【０１２５】
光源モジュール１００から出射された光は、カバーフレーム４００や第１、第２反射部
２００，３００に反射され、反射された光は、再びバックライトユニットの内側方向に進
むことができる。
このように光源モジュール１００を間接出射型の構造にすると、ホットスポット（ｈｏ
ｔ  ｓｐｏｔ）現象を減らすことができる。
【０１２６】
また、図２３Ｂは、回転可能フレーム４１２がカバーフレーム４００から１３５°回転
しており、光源モジュール１００の光出射面がカバーフレーム４００の側面及び下面方向
に配置された構造である。
【０１２７】
そして、図２３Ｃは、回転可能フレーム４１２がカバーフレーム４００から１８０°回
転しており、光源モジュール１００の光出射面がカバーフレーム４００の下面方向に配置
された構造である。
【０１２８】
また、図２３Ｄは、回転可能フレーム４１２がカバーフレーム４００から４５°回転し
ており、光源モジュール１００の光出射面がカバーフレーム４００の上面及び側面方向に
配置された構造であり、図２３Ｅは、回転可能フレーム４１２がカバーフレーム４００か
ら４５°回転しており、光源モジュール１００の光出射面がカバーフレーム４００の下面
方向及びバックライトユニットの内側方向に配置された構造である。
【０１２９】
このように、光源モジュール１００は、回転可能フレーム４１２の回転によって光出射
面を様々な方向に配置することができる。
【０１３０】
一方、光源モジュール１００を、カバーフレーム４００のボトムプレート上に配置させ
ることもできる。
【０１３１】
図２３Ｆ及び図２３Ｇに示すように、光源モジュール１００は、カバーフレーム４００
のボトムプレート上に配置され、光源モジュール１００の光出射面がカバーフレーム４０
０の上面方向及びバックライトユニットの内側方向に配置された構造である。
【０１３２】
ここで、光源モジュール１００は、図２３Ｆに示すように、光源モジュール１００がカ
バーフレーム４００の側面に接触して配置されることもでき、図２３Ｇに示すように、光
源モジュール１００がカバーフレーム４００の側面から離隔して配置されることもできる
。
光源モジュール１００から出射した光は、カバーフレーム４００や第１、第２反射部２
００，３００に反射され、該反射された光は再びバックライトユニットの内側方向に進む
ことができる。
【０１３３】
また、本実施例は、バックライトユニットの厚さをよりスリム化するために、光源モジ
ュール１００を第２反射部３００に接触して配置することもでき、第２反射部３００に近
接するように配置することもできる。
この場合、光学シートは、所定のエアーギャップを確保するために、図１８に示すよう
に第１反射部２００上に配置されずに、カバーフレームの支持フレームにより支持されな
ければならない。
【０１３４】
図２４は、カバーフレームに支持される光学シートを示す図である。
【０１３５】
図２４に示すように、カバーフレーム４００は、光学シート６００を支持するための支
持フレーム４１３をさらに含むことができる。
【０１３６】
そして、光学シート６００は、カバーフレーム４００の支持フレーム４１３により支持
されることができる。
このように光学シート６００を配置すると、第２反射部３００と光学シート６００との
間にエアーギャップをある程度確保することができる。
【０１３７】
図２４に示すように、光源モジュール１００を第２反射部３００に近接して配置するこ
とによって、バックライトユニットの厚さを減らすことができ、光学シート６００と第２
反射部３００間のエアーギャップを確保することによって、均一な輝度を得ることができ
る。
【０１３８】
図２０は、本実施例によるバックライトユニットを有するディスプレイモジュールを示
す図である。
【０１３９】
図２０に示すように、ディスプレイモジュール２０は、ディスプレイパネル８００及び
バックライトユニット７００を含むことができる。
【０１４０】
ディスプレイパネル８００は、相対向して均一なセルギャップを保つように合着された
カラーフィルター基板８１０及びＴＦＴ（Ｔｈｉｎ  Ｆｉｌｍ  Ｔｒａｎｓｉｓｔｏｒ）
基板８２０を含み、これら基板８１０，８２０の間に液晶層（図示せず）を介在すること
ができる。
【０１４１】
カラーフィルター基板８１０は、レッド（Ｒ）、グリーン（Ｇ）及びブルー（Ｂ）のサ
ブピクセルからなる複数のピクセルを含み、光が印加されると、レッド、グリーンまたは
ブルーの色に該当するイメージを生成することができる。
これらピクセルは、レッド、グリーン及びブルーのサブピクセルで構成されることがで
きるが、これに特に限定されず、レッド、グリーン、ブルー及びホワイト（Ｗ）のサブピ
クセルが一つのピクセルを構成することもできる。
【０１４２】
ＴＦＴ基板８２０は、スイッチング素子が形成された素子で、画素電極（図示せず）を
スイッチングすることができる。
例えば、共通電極（図示せず）及び画素電極は、外部から印加される所定電圧によって
液晶層の分子の配列を変化させることができる。
液晶層は、複数の液晶分子からなっとおり、これら液晶分子は、画素電極と共通電極間
に発生した電圧差に相応してその配列が変化される。
これにより、バックライトユニット７００から提供される光は、液晶層の分子配列の変
化に相応してカラーフィルター基板８１０に入射することができる。
【０１４３】
そして、ディスプレイパネル８００の上側及び下側にはそれぞれ、上部偏光板８３０及
び下部偏光板８４０が配置されることができ、具体的に、カラーフィルター基板８１０の
上面に上部偏光板８３０が配置され、ＴＦＴ基板８２０の下面に下部偏光板８４０が配置
されることができる。
【０１４４】
図示してはいないが、ディスプレイパネル８００の側面には、パネル８００を駆動させ
るための駆動信号を生成するゲート及びデータ駆動部を設けることができる。
【０１４５】
図２０に示すように、ディスプレイモジュールは、ディスプレイパネル８００にバック
ライトユニット７００を密着配置することによって構成されることができる。
例えば、バックライトユニット７００は、ディスプレイパネル８００の下側面、特に、
下部偏光板８４０に接着されて固定することができ、そのために、下部偏光板８４０とバ
ックライトユニット７００との間に接着層（図示せず）を形成することができる。
【０１４６】
上記の通り、バックライトユニット７００をディスプレイパネル８００に密着して形成
することによって、ディスプレイ装置の全体厚さを減少させ、外観を改善することができ
、バックライトユニット７００を固定するための追加の構造物を省いたため、ディスプレ
イ装置の構造及び製造工程を単純化することができる。
【０１４７】
また、バックライトユニット７００とディスプレイパネル８００間の空間を除去したた
め、該空間への異物の侵入によるディスプレイ装置の誤動作やディスプレイ映像の画質低
下を防止することができる。
【０１４８】
本発明の一実施例によるバックライトユニット７００は、複数の機能層が積層された形
態で構成することができ、複数の機能層のうち少なくとも一つの層は複数の光源（図示せ
ず）を備えることができる。
【０１４９】
また、バックライトユニット７００がディスプレイパネル８００の下側面に密着して固
定されるように、バックライトユニット７００、特に、バックライトユニット７００を構
成する複数の機能層はそれぞれフレキシブル（ｆｌｅｘｉｂｌｅ）な材質で構成すること
ができる。
【０１５０】
本発明の一実施例によるディスプレイパネル８００は、複数の領域に分割されることが
でき、前記分割された領域のそれぞれのグレーピーク値または色座標信号にしたがって、
対応するバックライトユニット７００の領域から放出される光の明るさ、すなわち、該当
の光源の明るさが調節され、これによって、ディスプレイパネル８００の輝度を調節する
ことができる。
このために、バックライトユニット７００はディスプレイパネル８００の分割された領
域のそれぞれに対応する複数の分割駆動領域に区分されて動作することができる。
【０１５１】
図２１及び図２２は、本実施例によるディスプレイ装置を示す図である。
【０１５２】
図２１を参照すると、ディスプレイ装置１は、ディスプレイモジュール２０と、ディス
プレイモジュール２０を包囲するフロントカバー３０及びバッグカバー３５と、バッグカ
バー３５に設けられる駆動部５５と、駆動部５５を覆う駆動部カバー４０と、で構成され
ることができる。
【０１５３】
フロントカバー３０は、光を透過させる透明な材質の前面パネル（図示せず）を含むこ
とができ、前面パネルは、一定の間隔をおいてディスプレイモジュール２０を保護し、デ
ィスプレイモジュール２０から放出される光を透過させて、ディスプレイモジュール２０
に表示される映像を外部から見るようにする。
また、フロントカバー３０は、窓３０ａを有しない平板とすることもできる。
この場合、フロントカバー３０は、光を透過させる透明な材質、例えば、射出成形した
プラスチックからなる。
このようにフロントカバー３０を平板に形成すると、フロントカバー３０からフレーム
を除去することができる。
【０１５４】
バッグカバー３５は、フロントカバー３０と結合してディスプレイモジュール２０を保
護することができる。
バッグカバー３５の一面には駆動部５５が配置されることができる。
【０１５５】
駆動部５５は、駆動制御部５５ａ、メインボード５５ｂ及び電源供給部５５ｃを含むこ
とができる。
駆動制御部５５ａは、タイミングコントローラとすることができ、ディスプレイモジュ
ール２０の各ドライバＩＣの動作タイミングを調節する駆動部であり、メインボード５５
ｂは、タイミングコントローラにＶシンク、Ｈシンク及びＲ、Ｇ、Ｂ解像度信号を伝達す
る駆動部であり、電源供給部５５ｃは、ディスプレイモジュール２０に電源を印加する駆
動部である。
駆動部５５は、バッグカバー３５に設けられて、駆動部カバー４０により覆われること
ができる。
【０１５６】
バッグカバー３５には複数の孔が形成されており、これら孔を介してディスプレイモジ
ュール２０と駆動部５５とが連結されることができ、ディスプレイ装置１を支持するスタ
ンド６０を備えることができる。
【０１５７】
一方、図２２に示すように、駆動部５５の駆動制御部５５ａは、バッグカバー３５に設
けられ、メインボード５５ｂ及び電源ボード５５ｃはスタンド６０に設けられることもで
きる。
この場合、駆動部カバー４０は、バッグカバー３５に設けられた駆動部５５のみを覆う
ことができる。
【０１５８】
本実施例では、メインボード５５ｂと電源ボード５５ｃを別に構成したが、これに限定
されず、一体の統合ボードとすることもできる。
【０１５９】
以上の実施例に説明された特徴、構造、効果などは、本発明の少なくとも一つの実施例
に含まれるもので、一つの実施例にのみ限定されるものではない。なお、各実施例で例示
された特徴、構造、効果などは、実施例の属する分野の分野における通常の知識を有する
者なら、様々に組み合わせまたは変形して実施することができる。したがって、それら組
み合わせ及び変形に関係する内容はいずれも、本発明の範囲に含まれるものとして解釈す
べきである。
【０１６０】
また、以上では実施例を中心に説明してきたが、これらは単なる例示に過ぎず、本発明
を限定するためのものではない。したがって、本発明の属する分野における通常の知識を
有する者にとっては、実施例の本質的な特性を逸脱しない範囲で、以上には例示されてい
ない様々な変形及び応用が可能であるということが明らかである。例えば、実施例に具体
化した各構成要素は変形して実施することができる。そして、それらの変形及び応用に関
係する内容も、添付の請求の範囲に規定する本発明の範囲に含まれるものとして解釈すべ
きである。
【図１Ａ】
2014017276.tif 000003
【図１Ｂ】
2014017276.tif 000004
【図２】
2014017276.tif 000005
【図３Ａ】
2014017276.tif 000006
【図３Ｂ】
2014017276.tif 000007
【図３Ｃ】
2014017276.tif 000008
【図３Ｄ】
2014017276.tif 000009
【図４Ａ】
2014017276.tif 000010
【図４Ｂ】
2014017276.tif 000011
【図５Ａ】
2014017276.tif 000012
【図５Ｂ】
2014017276.tif 000013
【図６】
2014017276.tif 000014
【図７】
2014017276.tif 000015
【図８】
2014017276.tif 000016
【図９Ａ】
2014017276.tif 000017
【図９Ｂ】
2014017276.tif 000018
【図１０Ａ】
2014017276.tif 000019
【図１０Ｂ】
2014017276.tif 000020
【図１１Ａ】
2014017276.tif 000021
【図１１Ｂ】
2014017276.tif 000022
【図１１Ｃ】
2014017276.tif 000023
【図１１Ｄ】
2014017276.tif 000024
【図１２】
2014017276.tif 000025
【図１３】
2014017276.tif 000026
【図１４Ａ】
2014017276.tif 000027
【図１４Ｂ】
2014017276.tif 000028
【図１５Ａ】
2014017276.tif 000029
【図１５Ｂ】
2014017276.tif 000030
【図１５Ｃ】
2014017276.tif 000031
【図１５Ｄ】
2014017276.tif 000032
【図１６】
2014017276.tif 000033
【図１７】
2014017276.tif 000034
【図１８】
2014017276.tif 000035
【図１９】
2014017276.tif 000036
【図２０】
2014017276.tif 000037
【図２１】
2014017276.tif 000038
【図２２】
2014017276.tif 000039
【図２３Ａ】
2014017276.tif 000040
【図２３Ｂ】
2014017276.tif 000041
【図２３Ｃ】
2014017276.tif 000042
【図２３Ｄ】
2014017276.tif 000043
【図２３Ｅ】
2014017276.tif 000044
【図２３Ｆ】
2014017276.tif 000045
【図２３Ｇ】
2014017276.tif 000046
【図２４】
2014017276.tif 000047